【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
動き、たとえば、限定ではないが、手足、あるいは、手足の部分などの、人の部分の動き、を検出する装置であって、
ａ）互いに相対的に運動する、人あるいは対象物の部分に、直接的あるいは間接的に装着できて、使用時に、人あるいは対象物が動いた結果、複数のコネクタ間の間隔が変化することができる、２あるいはそれ以上の収縮器と、
ｂ）細長い電気的部材であって、使用時に、電流を伝導して前記収縮器と電気的に接続され、前記電気的部材の長手方向の軸に沿って実質的に伸張せず、さらに、ｉ）少なくとも部分的に、前記電気的部材の長手方向の軸を横切る方向に弾性的に変形可能、であり、かつ／または、ｉｉ）前記電気的部材の有効長が前記収縮器間の最小の電気抵抗を持つ経路を規定して、前記収縮器間の電気抵抗の変化として動きを測定あるいは検出できるように、前記収縮器の相対的な動きが前記収縮器の間の、前記電気的部材の有効長を変化できるように、前記電気的部材の長手方向の軸を横切る方向の変形を最小化するように構成された、弾性的な特性を持つ案内構造体に、直接的にあるいは間接的に支持される、細長い電気的部材と、
を具備する、動きを検出する装置。
【請求項２】
前記部材の前記弾性的に変形可能な性質、および／あるいは、前記案内構造体の前記弾性的な特性は、前記収縮器の屈曲の程度を最小化する、ことを特徴とする、請求項１に記載の、動きを検出する装置。
【請求項３】
さらに、前記部材と電気的に接続された、電源を具備する、ことを特徴とする、請求項１あるいは請求項２のいずれか１つに記載の、動きを検出する装置。
【請求項４】
さらに、前記収縮器間の電気抵抗の変化を記録手段あるいは監視手段を具備する、ことを特徴とする、請求項１−３のいずれか１つに記載の、動きを検出する装置。
【請求項５】
電気抵抗の変化を記録する、前記手段は、電気抵抗および前記対象物の動きを解析するコンピュータを具備する、ことを特徴とする、請求項４に記載の、動きを検出する装置。
【請求項６】
さらに、その上に前記収縮器が装着あるいは取付けられる、可撓性を持つ基体を具備する、ことを特徴とする、請求項１−５のいずれか１つに記載の、動きを検出する装置。
【請求項７】
前記基体が前記人あるいは前記対象物に装着されたとき、前記基体は、動いている間、前記収縮器が実質的に前記対象物上で同一の位置に保持されるように、前記人あるいは前記対象物に適合する形状をとることができる、ことを特徴とする、請求項６に記載の、動きを検出する装置。
【請求項８】
前記収縮器が離れるように動くとき、前記部材が、張った状態で摺動可能に接属されている、前記収縮器に対して動くように、また、前記収縮器が互いに向かって動くとき、前記部材の弾性的に変形可能な性質によって、前記部材が、圧縮された状態の前記収縮器に対して動くように、前記部材は少なくともひとつの前記収縮器に摺動可能に接続されている、ことを特徴とする、請求項１−７のいずれか１つに記載の、動きを検出する装置。
【請求項９】
前記部材は、両方の前記収縮器に摺動可能に接属されている、ことを特徴とする、請求項８に記載の、動きを検出する装置。
【請求項１０】
前記部材は、少なくとも２つの収縮器に固定的に接続されており、前記電気的部材は、前記部材が部材の非直線部分を含むように構成されており、短絡回路手段は、前記非直線部分を前記部材の、最小電気抵抗を持つ経路を規定する、前記有効長から電気的に絶縁しており、使用している間、前記収縮器間の距離が変化するのに応じて、前記非直線部分に含まれている前記有効長は変化して、前記最小抵抗の経路を規定する前記有効長を変化させる、ことを特徴とする、請求項１−７のいずれか１つに記載の、動きを検出する装置。
【請求項１１】
前記非直線部分は、少なくとも１８０°だけ方向が変わる部分である、ことを特徴とする、請求項１０に記載の、動きを検出する装置。
【請求項１２】
前記短絡回路手段は、前記部材が自身に接触する、点であり、前記非直線部分は、前記部材の中で少なくとも１つの３６０°の、ループの大きさが変わるに応じて、前記収縮器間の前記部材の前記有効長も変化するように大きさが変わることの出来る、ループを含む、ことを特徴とする、請求項１０に記載の、動きを検出する装置。
【請求項１３】
前記収縮器が互いに向かって動くとき、前記部材の弾性的な性質によって、ループの大きさが増大して、最小電気抵抗を持つ経路を規定する、前期収縮器間の、前記部材の前記有効長を低減し、前記収縮器が離れるように動きとき、ループの大きさは減少して、最小電気抵抗を持つ経路を規定する、前期収縮器間の、前記部材の前記有効長を増加する、ことを特徴とする、請求項１２に記載の、動きを検出する装置。
【請求項１４】
前記短絡回路手段は、前記部材の前記非直線部分をまたいで接属する、ブリッジを含む、ことを特徴とする、請求項１０に記載の、動きを検出する装置。
【請求項１５】
前記部材の前記非直線部分は、前記部材の中に少なくとも１つのＵ字型の形状を含み、前記ブリッジは前記部材の前記有効長から前記ループ部分を排除している、ことを特徴とする、請求項１４に記載の、動きを検出する装置。
【請求項１６】
前記部材は、２あるいはそれ以上の基体を含み、サブ部材の各々は、少なくともひとつの他のサブ部材と接触して一つ又はそれ以上の相互接続点を形成しており、前記サブ部材の相対的な動きによって、前記相互接続点がシフトして、前記最小抵抗経路を規定する前記部材の前記有効長を変える、ことを特徴とする、請求項１−７のいずれか１つに記載の、動きを検出する装置。
【請求項１７】
サブ部材の各々は、前記収縮器のひとつに接続されている、ことを特徴とする、請求項１６に記載の、動きを検出する装置。
【請求項１８】
前記サブ部材は、互いに平行に配置されていて、前記サブ部材が少なくとも１つの他の部材に沿って摺動可能に相互接続されるように、摺動可能に相互接続されている、ことを特徴とする、請求項１６あるいは請求項１７のいずれか１つに記載の、動きを検出する装置。
【請求項１９】
前記サブ部材は、２つの相互接続点で相互接続されて、前記部材は、平行関係で接続されている、ことを特徴とする、請求項１７に記載の、動きを検出する装置。
【請求項２０】
サブ部材の各々は、隣接する前記サブ部材を係合して相互接続点を規定する、エンド・フックを含む、ことを特徴とする、請求項１８あるいは請求項１９のいずれか１つに記載の、動きを検出する装置。
【請求項２１】
前記サブ部材は、相互接続点で、互いに横切って、交差あるいは接触して配置されており、前記サブ部材間の最小電気抵抗の前記経路は、前記サブ部材のと前記サブ部材と前記相互接続点とに接続されている部分に沿って規定されている、ことを特徴とする、請求項１７に記載の、動きを検出する装置。
【請求項２２】
前記案内構造体は、その中で前記部材が滑ることが出来る、導管、チューブ、あるいは、スリーブである、ことを特徴とする、請求項１−２１のいずれか１つに記載の、動きを検出する装置。
【請求項２３】
使用時に、測定された前記収縮器間の電気抵抗が、１０から１００ｋΩの範囲にある、ことを特徴とする、請求項１−２２のいずれか１つに記載の、動きを検出する装置。
【請求項２４】
人の手足、あるいは、手足の部分のような、人の部分の動きを検出する衣服であって、
ａ）衣服上の選択した部分に、直接的あるいは間接的に装着されて、衣服がまとわれた時に、人が動いた結果、複数のコネクタ間の間隔が変わることができる、２あるいはそれ以上の収縮器と、
ｂ）細長い電気的部材であって、電源および前記収縮器に接続可能であって、前記電気的部材の長手方向の軸に沿って実質的に伸張せず、さらに、ｉ）少なくとも部分的に、前記電気的部材の長手方向の軸を横切る方向に弾性的に変形可能、であり、かつ／または、ｉｉ）前記電気的部材の有効長が収縮器間の最小の電気抵抗を持つ経路を規定して、前記収縮器間の電気抵抗の変化として動きを測定あるいは検出できるように、前記収縮器の相対的な動きが前記収縮器の間の、前記電気的部材の有効長を変化できるように、前記電気的部材の長手方向の軸を横切る方向の変形を最小化するように構成された、弾性的な特性を持つ案内構造体に、直接的にあるいは間接的に支持される、細長い電気的部材と、
を具備する、人の部分の動きを検出する衣服。
【請求項２５】
前記部材の前記弾性的に変形可能な性質、および／あるいは、、前記案内構造体の前記弾性的な特性は、前記収縮器間の前記部材の屈曲の程度を最小化する、ことを特徴とする、請求項２４に記載の衣服。
【請求項２６】
前記衣服は、伸張可能な、および／あるいは、可撓可能な織物を含み、前記収縮器は、前記基体が伸びあるいは折畳まれたとき、前記コネクタが互いに離れるように動くように、前記織物に装着されている  ことを特徴とする、請求項２４−２５のいずれか１つに記載の衣服。
【請求項２７】
前記収縮器が離れるように動いたとき、前記部材が、摺動可能に接続されている、張力がかかった状態の前記収縮器に対して動くように、前記部材は、少なくとも１つの前記収縮器に摺動可能に接属されており、前記収縮器が互いに向かうように動いたとき、前記部材の弾性的に変形可能な性質によって、前記部材は、前記収縮器に対して動くことができる、ことを特徴とする、請求項２４−２６のいずれか１つに記載の衣服。
【請求項２８】
前記織物に装着されている前記コネクタは、前記部材に接続されており、前記織物に装着されている別の前記コネクタは、前記部材に摺動可能に接続されており、使用時に、前記衣服を着ている人の動きによって、前記部材が摺動可能に取付けられている前記コネクタを通して滑り、前記部材の前記有効長を変えることができる、ことを特徴とする、請求項２６に記載の衣服。
【請求項２９】
前記部材は、２つの接触器の摺動可能に接続されている、ことを特徴とする、請求項２８に記載の衣服。
【請求項３０】
前記部材は、少なくとも２つの接触器に固定的に接続されており、前記電気的部材は、前記部材が前記部材の非直線部分を含むように構成されており、短絡回路手段は、前記非直線部分を、最小電気抵抗の経路を規定する前記部材の前記有効長から電気的に絶縁しており、使用時に、接触器間の距離が変化するのに応じて、前記部材の前記非直線部分に含まれる前記長さが変わって、最小電気抵抗の経路を規定する前記部材の前記有効長が変わる、ことを特徴とする、請求項２４−２６のいずれか１つに記載の衣服。
【請求項３１】
前記非直線部分は、少なくとも１８０°だけ方向が変わる、部分である、ことを特徴とする、請求項３０に記載の衣服。
【請求項３２】
前記短絡回路手段は、前記部材が自分自身と接触する点であり、前記非直線部分は、ループの大きさが変わるに応じて、前記接触器間の前記部材の前記有効長も変わるように、ループの大きさが変わることが出来る、前記部材の３６０°のループ、だけことを特徴とする、請求項３１に記載の衣服。
【請求項３３】
前記接触器互いに向かうように動かされたとき、前記部材の前記弾性的性質によって、前記ループの大きさが増大して、最小電気抵抗の経路を規定する前記接触器間の前記部材の前記有効長を減少し、前記接触器互いに離れるように動いたとき、前記ループの大きさが減少して、最小電気抵抗の経路を規定する前記接触器間の前記部材の前記有効長を増大する、ことを特徴とする、請求項３２に記載の衣服。
【請求項３４】
前記短絡回路手段は、前記部材の前記非直線部分にまたいで接続された、ブリッジを含む、ことを特徴とする、請求項３２に記載の衣服。